(57)【要約】【課題】  魚釣用電動リールのコードの挿通孔の大きさを変えて容易に着脱でき、コードの交換を容易に行うことができる釣竿用ハンドル及び釣竿を提供すること。【解決手段】  魚釣用電動リール３０が取り付けられるリール取付部１４ｂを有する釣竿用ハンドル１４であって、前記リール取付部に取り付けられる魚釣用電動リールのコード６０を前記ハンドルの内部に挿通する挿通孔７４を前記ハンドルに設け、前記ハンドルは前記挿通孔を有する部位で、前記竿部の取付部側の前部材１４ｂと、この前部材の後ろ側に配設された後部材１４ｃと、前記前部材および前記後部材が相対的に移動可能に嵌合された嵌合部５８とを有し、前記嵌合部で前記挿通孔の大きさを可変可能としたことを特敏とする釣竿用ハンドル。【選択図】    図４
2010051284.tif 000002
【特許請求の範囲】
【請求項１】
魚釣用電動リールが取り付けられるリール取付部を有する釣竿用ハンドルであって、
前記リール取付部に取り付けられる魚釣用電動リールのコードを前記ハンドルの内部に挿通する挿通孔を前記ハンドルに設け、
前記ハンドルは前記挿通孔を有する部位で、前記竿部の取付部側の前部材と、この前部材の後ろ側に配設された後部材と、前記前部材および前記後部材が相対的に移動可能に嵌合された嵌合部とを有し、前記嵌合部の嵌合位置を変化させることにより前記挿通孔の大きさを可変可能としたことを特徴とする釣竿用ハンドル。
【請求項２】
前記前部材および前記後部材には、前記嵌合部による嵌合状態を維持する係合部が設けられていることを特徴とする請求項１に記載の釣竿用ハンドル。
【請求項３】
前記挿通孔は前記前部材と前記後部材との少なくとも一方に設けられ、前記挿通孔の少なくとも一部が前記ハンドルの外側に露呈していることを特徴とする請求項１または請求項２に記載の釣竿用ハンドル。
【請求項４】
前記挿通孔は前記前部材と前記後部材との少なくとも一方に設けられ、前記挿通孔の少なくとも一部が他方に覆われて塞がれていることを特徴とする請求項１乃至請求項３の何れか１に記載の釣竿用ハンドル。
【請求項５】
前記前部材と前記後部材とは分離可能に形成されていることを特徴とする請求項１乃至請求項４の何れか１に記載の釣竿用ハンドル。
【請求項６】
前記挿通孔は前記挿通孔が設けられた前部材または後部材の端部まで延設されていることを特徴とする請求項１乃至請求項５の何れか１つに記載の釣竿用ハンドル。
【請求項７】
前記前部材および前記後部材は周方向に回り止めされて嵌合する回り止め手段を有していることを特徴とする請求項１乃至請求項６の何れか１に記載の釣竿用ハンドル。
【請求項８】
前記前部材および前記後部材は互いに対して抜け止めされて嵌合する抜け止め手段を有していることを特徴とする請求項１乃至請求項７の何れか１に記載の釣竿用ハンドル。
【請求項９】
前記後部材は、その内部に前記魚釣用電動リールのコードを通す挿通部を有していることを特徴とする請求項１乃至８の何れか１に記載の釣竿用ハンドル。
【請求項１０】
前記後部材は、バッテリの保持部を有していることを特徴とする請求項１乃至９の何れか１に記載の釣竿用ハンドル。
【請求項１１】
請求項１乃至請求項１０の何れか１に記載の釣竿用ハンドルに竿部を取り付けたことを特徴とする釣竿。
【発明の詳細な説明】
【技術分野】
【０００１】
この発明は、魚釣用電動リールとともに用いられることが好適な釣竿用ハンドル及び釣竿に関する。
【背景技術】
【０００２】
従来から魚釣用釣竿に電動リールを取り付けて魚釣りが行われている。例えば特許文献１には、釣竿に内蔵したバッテリに電動リールのコードを竿内に差し込んで繋ぐ構造が開示されている。また、特許文献２には、コードが魚釣りの邪魔にならないように一度釣竿内に差し込んで再び釣竿の基部（後端）近傍から外側に延出させてバッテリに繋ぐ釣具（釣竿）が開示されている。
【特許文献１】実開平２−９０７４号公報
【特許文献２】実開昭４８−６２９２号公報
【発明の開示】
【発明が解決しようとする課題】
【０００３】
特許文献１や特許文献２に開示された釣竿は、ハンドル内に差し込まれたコードの着脱が出来ない。例えば魚釣用電動リールのメーカーごとに異なるコードを用いなければ電動リールに接続できない場合があり、その場合は電動リールごと、または、共通するコードごとに専用の釣竿が必要となってしまう。このため、電動リールを交換して様々な釣りの状況に対応することが難しい。  
この発明は、このような課題を解決するためになされたものであり、その目的とするところは、魚釣用電動リールのコードを容易に着脱でき、すなわち電動リールのコードの交換を容易に行うことができる釣竿用ハンドル及び釣竿を提供することにある。
【課題を解決するための手段】
【０００４】
上記課題を解決するために、この発明に係る釣竿用ハンドルは、魚釣用電動リールが取り付けられるリール取付部を有し、前記リール取付部に取り付けられる魚釣用電動リールのコードを前記ハンドルの内部に挿通する挿通孔を前記ハンドルに設け、前記ハンドルは前記挿通孔を有する部位で、前記竿部の取付部側の前部材と、この前部材の後ろ側に配設された後部材と、前記前部材および前記後部材が相対的に移動可能に嵌合された嵌合部とを有し、前記嵌合部の嵌合状態を変化させることにより前記挿通孔の大きさを可変可能としたことを特徴とする。
【０００５】
前記前部材および前記後部材には、前記嵌合部による嵌合状態を維持する係合部が設けられていることが好ましい。  
前記挿通孔は前記前部材と前記後部材との少なくとも一方に設けられ、前記挿通孔の少なくとも一部が前記ハンドルの外側に露呈していることが好ましい。  
前記挿通孔は前記前部材と前記後部材との少なくとも一方に設けられ、前記挿通孔の少なくとも一部が他方に覆われて塞がれていることが好ましい。  
前記前部材と前記後部材とは分離可能に形成されていることが好適である。  
前記挿通孔は前記挿通孔が設けられた前部材または後部材の端部まで延設されていることが好適である。  
前記前部材および前記後部材は周方向に回り止めされて嵌合している回り止め手段を有していることが好適である。  
前部材と後部材とは抜け止めされて嵌合している抜け止め手段を有していることが好適である。  
前記後部材は、その内部に前記魚釣用電動リールのコードを通す挿通部を有していることが好適である。  
前記後部材は、バッテリの保持部を有していることが好適である。
【発明の効果】
【０００６】
この発明によれば、コードの外径やコードの端部のコネクタの大きさに合わせて嵌合部の嵌合位置を変化させることにより挿通孔の大きさを変えることができるので、種々のコードを釣竿用ハンドルに容易に着脱することができ、すなわち、コードを容易に交換することができる。このため、種々の電動リールをリール取付部に取り付けることによって様々な釣りの状況に対応することができる。また、挿通孔の大きさを変えることによって、挿通孔を通して釣竿用ハンドル内に水やゴミ等が浸入することを防止できる。
【０００７】
前部材および後部材に、嵌合部による嵌合状態を維持する係合部が設けられていることによって、嵌合状態を維持しつつ挿通孔の嵌合位置を所望の状態に変更することができるので、コードの挿脱等の交換作業を容易に行うことができる。また、前部材と後部材との嵌合状態を維持しておくことによって、後部材だけを紛失することを防止することができる。
【０００８】
挿通孔の少なくとも一部がハンドルの外側に露呈していることによって、その露呈している部分に対してコードを容易に出し入れすることができる。  
挿通孔が前部材と後部材との少なくとも一方に設けられ、挿通孔の少なくとも一部が他方に覆われて塞がれていることによって、前部材と後部材との相対移動によって挿通孔の大きさを容易に変更することができる。  
前部材と後部材とが分離可能に形成されていることによって、コードの交換を容易に行うことができる。  
挿通孔が前部材または後部材の端部まで延設されていることによって、コードをその開口された端部を通して容易に挿脱することができる。  
前部材および後部材が周方向に回り止めされて嵌合している回り止め手段を有していることによって、前部材に対して後部材を嵌合させていく際に挿通孔が回り止め手段により誘導されて、略真っ直ぐに差し込むことができる。このため、前部材と後部材との嵌合位置の変化をスムーズに行うことができる。  
前部材および後部材が抜け止めされて嵌合する抜け止め手段を有していることによって、互いの嵌合を外したときであっても後部材を紛失することを防止できる。  
後部材がその内部に魚釣用電動リールのコードを通す挿通部を有していることによって、コードを容易に後部材に対して着脱することができる。  
後部材がバッテリの保持部を有していることによって、釣りの際にバッテリが邪魔になるのを防止でき、また、バッテリに接続するコードが釣竿から延出されるのを防止できる。
【発明を実施するための最良の形態】
【０００９】
以下、図面を参照しながらこの発明を実施するための最良の形態（以下、実施の形態という）について説明する。
【００１０】
第１の実施の形態について図１ないし図６を用いて説明する。  
図１に示すように、この実施の形態の釣竿１０は、竿部１２と、この竿部１２の後端に配設され釣り人が把持する釣竿用ハンドル１４とを備えている。図２及び図３に示す竿部１２の後端の嵌合突起１３ａは、ハンドル１４の後述する筒状の芯部材１４ｄの先端の嵌合孔１３ｂに差し込まれて取り付けられている。なお、竿部１２の後端の嵌合突起１３ａはハンドル１４の先端の嵌合孔１３ｂに対して固定（固着）または着脱可能に取り付けられる。
【００１１】
竿部１２は、例えば繊維強化樹脂材製の竿桿２２と、竿桿２２に配設された釣糸用ガイド２４とを備えている。なお、本実施形態の釣竿１０の竿部１２は、中通し竿として形成されていることも好適である。また、竿桿２２は、中空構造に限らず、中実構造であっても良い。
【００１２】
図２から図４に示す魚釣用電動リール３０は、リール本体３２の両側に配置した１対の側板３４間に、図示しないスプール軸を介してスプールが回転可能に支持されている。この側板３４で支えられたハンドル軸（図示しない）を介して、このリール３０のハンドル３４ａ（図３及び図５参照）の回転をリール本体３２内に配置された駆動機構に伝達することができる。
【００１３】
通常と同様に、このスプールは、一方の側板３４に設けたハンドル３４ａを介する手動操作で形成される駆動力により、リール本体３２内に配置された公知の駆動機構を介して回転され、あるいは、リール本体３２のスプール前方の側板３４間にモータケースを介して収容された公知のスプール駆動モータにバッテリ４０から給電する電動操作で形成される駆動力により、動力伝達機構を介して回転され、このスプール上に釣糸が巻回される。
【００１４】
電動操作による駆動力で釣糸を巻き取る際は、リール本体３２に通常と同様に取り付けられたスプール駆動モータのモータ出力調節用操作部を操作することにより、リール本体３２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣糸の巻き取り速度を制御することができる。
【００１５】
このリール本体３２の上面の前方部位には、通常の電動リールと同様に、制御部３２ａを配置してあり、例えば、釣糸の繰出し量（糸長）、棚位置等の種々の制御機能、制御条件等を表示する液晶表示部を配置し、更に、棚位置を設定する棚取りボタン、糸長計測値の値をゼロにリセットするリセットボタン、および、押し込んでいるときにのみスプール駆動モータを駆動させ、解放したときに停止して微妙な巻上操作を可能とする寸動ボタン等の種々のボタンあるいはスイッチ類を配置してある。
【００１６】
通常と同様に、リール本体３２には、クラッチ機構（図示しない）も設けられており、このクラッチ機構を通じて、スプール軸に駆動連結するスプール駆動モータあるいはハンドルで形成される駆動力を、スプールに伝達し或いはスプールから遮断することができる。クラッチ機構がスプール軸をスプール駆動モータおよびハンドルから分離した状態（スプールフリー状態）で、ハンドルを回転させると、図示しない復帰機構を介して、スプール軸が元の状態（巻取状態）に復帰する。これにより、スプール軸と一体化されているスプールを、スプール駆動モータあるいはハンドルが形成する駆動力で回転することができる。符号３６は、スプールフリー状態におけるスプールの回転に適度な制動力を掛けて過回転を防止する調節ネジを示す。
【００１７】
更に、リール本体３２の下部前方の、ハンドルから離隔した側の側板３４の下部で、リール本体３２を保持した手と干渉しない位置に、給電部３８を下方に向けて配置してある。給電部３８は、後述する取付脚部３０ａやリール取付部１４ｂのリールシート５２と干渉しない位置に延出されている。この給電部３８はリール本体３２内のスプール駆動モータに外部電力源から給電するものであり、バッテリ４０が電気的に連結される。
【００１８】
このような魚釣用電動リール３０を釣竿１０のハンドル１４に取り付けるため、リール本体３２には釣竿１０のハンドル１４の長手方向に沿って前後に延びる取付脚部３０ａがその下側に配置されている。
【００１９】
釣竿１０の釣竿用ハンドル１４は、前グリップ１４ａと、魚釣用電動リール３０の取付脚部３０ａが着脱可能に取り付けられるリール取付部（前部材）１４ｂと、リール取付部１４ｂに対して着脱可能な後グリップ（後部材）１４ｃとを備えている。これら前グリップ１４ａ、リール取付部１４ｂ及び後グリップ１４ｃは、例えば筒状に形成されている。そして、前グリップ１４ａからリール取付部１４ｂのリールシート５２の前端までの内部には、筒状の芯部材１４ｄが配設されている。上述したように、竿部１２の竿桿２２の基端は、芯部材１４ｄの先端部に配設されている。
【００２０】
釣竿１０の釣竿用ハンドル１４のリール取付部（前部材）１４ｂは、魚釣用電動リール３０の取付脚部３０ａを介して魚釣用電動リール３０を取り付けるためのいわゆる筒状のリールシート５２からなっている。リール取付部１４ｂには取付脚部３０ａが載置されるリールシート５２の取付脚部載置面５２ａの後方に例えば一体的に形成され、取付脚部３０ａの後端部を受け入れる固定フード５４ａを配置している。また、リール取付部１４ｂは取付脚部載置面５２ａの前方に移動フード５４ｂが配設され、この移動フード５４ｂの前端にナット（移動フード５４ｂの操作部であるネジリング）５６が配設されている。ナット５６はリールシート５２に形成されたネジ部５２ｂに回転可能に螺合されている。このため、ナット５６を回転させると、移動フード５４ｂを釣竿用ハンドル１４の長手方向に沿って前後動させて取付脚部３０ａの前端部を受け入れることができる。
【００２１】
したがって、ナット５６を回転させつつ移動フード５４ｂを魚釣用電動リール３０の取付脚部３０ａの先端部を移動フード５４ｂ内に収容して後方に押し込み移動させると、魚釣用電動リール３０の取付脚部３０ａは、固定フード５４ａおよび移動フード５４ｂ間で挟持されつつ取付脚載置面５２ａ上に押圧される。これにより、魚釣用電動リール３０は、その取付脚部３０ａがリール取付部１４ｂの上面の取付脚載置面５２ａの上に載せられてリール取付部１４ｂに取り付けられる。ナット５６を逆に回転させて移動フード５４ｂを前方に移動させることにより、釣竿１０のリール取付部１４ｂ（リールシート５２）から魚釣用電動リール３０を取り外すことができる。
【００２２】
図２および図４に示すように、リール取付部１４ｂの筒状のリールシート５２の後端の外周面には環状溝５２ｃが形成されている。この環状溝５２ｃには、前端に内方フランジ５８ａを有する螺子リング（係合部）５８の内方フランジ５８ａが配設されている。そして、この螺子リング５８は内方フランジ５８ａによりリールシート５２の後端で回転可能である。そして、螺子リング５８の後端には雌ネジ部（係合部）５８ｂが形成され螺子リング５８と雌ネジ部５８ｂが前部材（リールシート５２）と後部材（グリップ本体７２）の嵌合状態を維持する係合部を形成している。なお、リールシート５２の後端の内周面は後述するグリップ本体１４ｃの嵌合凸部７２ａが嵌合される嵌合凹部５２ｄである。この嵌合凸部７２ａと嵌合凹部５２ｄが前部材と後部材が相対的に移動可能に嵌合された嵌合部である。
【００２３】
本実施形態では、このように釣竿１０に取り付けられる魚釣用電動リール３０にコード６０を介して接続されるバッテリ４０（図２から図５参照）は、例えばリチウムイオン電池等により携帯可能な小型かつ軽量に形成されている。このバッテリ４０は充電により再使用可能である。
【００２４】
図２から図５に示すバッテリ４０は、外部を樹脂製の外装部材すなわちボディ４２で覆った密閉構造を有する。図４中、バッテリ４０の左側に示す先端側には、魚釣用電動リール３０の給電部３８に対してコード６０を介して電気的に接続される接続部４４が突出した状態に配置されている。ボディ４２は、略柱状に形成され、その接続部４４に近接する側は肩部４６として形成されている。肩部４６は、略円錐台状を有し、接続部４４側に向けて先細り状になる傾斜面（係合部）を有している。
【００２５】
図２から図５に示すように、コード６０は、その一端にリール用コネクタ６２を備え、その他端にバッテリ用コネクタ６４を備えている。なお、ここでは、リール用コネクタ６２は図２及び図４に示すように、コード６０およびリール用コネクタ６２の軸方向が給電部３８に対して真っ直ぐのストレートタイプのものが用いられる場合について説明するが、コード６０とリール用コネクタ６２との軸方向が異なる、例えばＬ型タイプなどが用いられることも好ましい。
【００２６】
図２に示すように、この実施の形態に係る後グリップ（後部材）１４ｃは、例えば金属や合成樹脂（繊維強化樹脂を含む）などの硬質材料で筒状に形成され、内部にコード６０を挿通させる中空状の挿通部Ｓを有するグリップ本体７２を備えている。挿通部Ｓの内径は各種メーカー等で仕様が異なるコード６０に対応するため、各種のコード６０の外径よりも大きく形成されている。また、挿通部Ｓの内径は各種のコード６０のコネクタ６２，６４の外径よりも大きく形成されている。グリップ本体７２の先端部には、嵌合凸部７２ａと、雄ネジ部７２ｂとが形成されている。嵌合凸部７２ａはグリップ本体７２の先端に略筒状（図３に示すように例えば半筒状、横断面が略Ｃ字状）に形成され、上述した嵌合凹部５２ｄに嵌合可能に形成されている。嵌合凸部７２ａの内径は、各種のコード６０に対応するため、各種のコード６０の外径よりも大きく形成されている。また、嵌合凸部７２ａの内径はコード６０の少なくとも一方のコネクタ６２，６４の外径よりも大きく形成されている。ここでは、嵌合凸部７２ａの内径は両方のコネクタ６２，６４の外径よりも大きく形成されているものとする。
【００２７】
なお、嵌合凸部７２ａの外周面と嵌合凹部５２ｄの内周面とが円形（嵌合凸部７２ａはこの実施の形態では後述する挿通孔７４が形成されていることにより略半筒状、略Ｃ字状）に形成されていることが好ましいが、円形以外の形状、例えば正六角形や正八角形等（図示せず）に形成されていることも好ましい。嵌合凸部７２ａの外周面と嵌合凹部５２ｄの内周面とが正六角形や正八角形等の形状を有することにより、リール取付部１４ｂに対して後グリップ１４ｃを所望の回転位置で容易に保持することができ、リール取付部１４ｂに対する後グリップ１４ｃの回転を防止することができる。  
以下では、嵌合凸部７２ａの外周面と嵌合凹部５２ｄの内周面とが円形（嵌合凸部７２ａは略半筒状、略Ｃ字状）に形成されているものとして説明する。
【００２８】
雄ネジ部７２ｂは嵌合凸部７２ａの基端部に形成されている。この嵌合凸部７２ａと雄ネジ部７２ｂとの外周面の間には、嵌合凸部７２ａの外径と雄ネジ部７２ｂの外径との違い（差）による段差端面７２ｃが形成されている。なお、嵌合凸部７２ａと雄ネジ部７２ｂとの中心軸は同軸である。このため、グリップ本体７２の嵌合凸部７２ａがリールシート５２の嵌合凹部５２ｄに嵌合されたとき、リールシート５２の基端面に段差端面７２ｃが当接される。すなわち、リール取付部１４ｂのリールシート５２と後グリップ１４ｃのグリップ本体７２との釣竿用ハンドル１４の軸方向の係合長さは、グリップ本体７２の段差端面７２ｃがリールシート５２の基端面に当接する位置から、グリップ本体７２の雄ネジ部７２ｂと螺子リング５８の雌ネジ部５８ｂとが螺合している位置までの間の距離である。
【００２９】
そして、後グリップ１４ｃのグリップ本体７２には、コード６０をその軸方向に移動させるための挿通孔７４が形成されている。挿通孔７４は、グリップ本体７２のうち、嵌合凸部７２ａの先端から雄ネジ部７２ｂが形成された位置よりも後端側まで連続して形成されている。すなわち、嵌合凸部７２ａおよび雄ネジ部７２ｂは、明確には図示しないが、その横断面が略半円状又は略Ｃ字状である。そして、挿通孔７４は、切り欠き状の長孔であって真っ直ぐに形成されていることが好ましい。なお、挿通孔７４の幅はコード６０の直径よりも大きければ、リール用コネクタ６２及びバッテリ用コネクタ６４の最大外径よりも大きくても小さくても良いが大きい方が好ましい。このため、図２に示すように、コード６０を破線で示す状態から実線で示す状態に配置することができる。
【００３０】
なお、嵌合凸部７２ａの内径の大きさは、コード６０のリール用コネクタ６２及びバッテリ用コネクタ６４のいずれか一方または両方を通すことが可能な大きさに形成されている。このため、コード６０を後グリップ１４ｃに対して着脱（挿脱）可能である。本実施形態では、図２及び図３に示すリール用コネクタ６２及びバッテリ用コネクタ６４の両方を嵌合凸部７２ａの内側に対して通すことが可能である。
【００３１】
グリップ本体７２の後端には、グリップ本体７２の内径よりも外径が大きいバッテリ４０を収容するためにやや拡径された拡径部７６が形成されている。この拡径部７６の後端には雄ネジ部７６ａが形成されている。この雄ネジ部７６ａには、バッテリ４０が収容されるバッテリケース７８の雌ネジ部７８ａが着脱可能に螺合される。そして、後グリップ１４ｃの拡径部７６およびバッテリケース７８は、バッテリ保持部を形成する。このため、釣竿１０のうち、釣り人が釣りの最中に直接的にバッテリ４０に触れない状態にバッテリ４０を配置することができ、バッテリ４０が邪魔にならない状態で釣りをすることができる。また、バッテリ４０を釣竿１０の後端に配置したので、釣竿１０の重心位置を釣竿１０の後端側に移動させることができる。すなわち、釣竿１０の重心を、電動リール３０とハンドル１４の後端側とに分けて配し、重量を分散させてバランスを良くできるので、釣竿１０の操作も容易に行うことができる。
【００３２】
なお、拡径部７６は、バッテリ４０の肩部４６と略同じ傾斜を有し、後端側ほど開口が大きく形成されている。一方、バッテリケース７８は、バッテリ４０をハンドル１４の中心軸Ｃに沿って先端側に向かって押圧する押圧パッド（押圧部）７８ｂが配設されている。このため、バッテリケース７８にバッテリ４０が配設された状態でバッテリケース７８の雌ネジ部７８ａが拡径部７６の雄ネジ部７６ａに螺合したときには、バッテリ４０のガタツキを防止するように、バッテリ４０の肩部４６が後グリップ１４ｃの拡径部７６の内周面（度当て面）７６ｂに度当てされる。
【００３３】
そして、電動リール３０の給電部３８とバッテリ４０の接続部４４とを接続するコード６０は、後グリップ１４ｃの挿通孔および挿通部７４を通して後グリップ１４ｃの後端まで延出されている。
【００３４】
なお、図６に示すように、ハンドル１４の後端でバッテリ４０を保持する際に、バッテリケース７８を用いない例も好ましい。  
拡径部７６には、雄ネジ部７６ａが形成されていない。その代わりに、拡径部７６の後端の内周面には、例えばＯリング等のシール材７６ｃが配設されている。このシール材７６ｃは、弾性材料で形成され、シール材７６ｃの内径はバッテリ４０のボディ４２の外径よりもやや小さく形成されている。このため、バッテリ４０のボディ４２を拡径部７６の内側に配設するときには、シール材７６ｃを弾性変形させてバッテリ４０のボディ４２の外周面に密着させる。このようにして、バッテリ４０をハンドル１４の後グリップ１４ｃの後端に保持することができる。すなわち、後グリップ１４ｃの後端の拡径部７６およびシール材７６ｃは、バッテリ保持部を形成する。なお、シール材７６ｃの作用によって、バッテリ４０が拡径部７６の後端に配設された状態でハンドル１４内に水や飛沫、更にはゴミ等が侵入するのを防止できる。
【００３５】
次に、この実施の形態に係る釣竿１０（釣竿用ハンドル１４）の作用について説明する。まず、図２および図３に示すように前部材であるリール取付部１４ｂと後部材である後グリップ１４ｃとが分離された状態の釣竿用ハンドル１４を図４および図５に示すように装着状態にする場合について説明する。図２および図３に示す状態では、後グリップ１４ｃに既にバッテリ４０が配設され、バッテリ４０にコード６０が装着された状態にあるものとする。このとき、コード６０のリール用コネクタ６２はグリップ本体７２の嵌合凸部７２ａの内側又は挿通孔７４を通して後グリップ１４の外側に配置されている。
【００３６】
そして、リール取付部１４ｂのリールシート５２の後端の嵌合凹部５２ｄに対して、後グリップ１４ｃのグリップ本体７２の嵌合凸部７２ａを嵌合させる。このとき、螺子リング５８の雌ネジ部５８ｂの基端と、グリップ本体７２の雄ネジ部７２ｂの先端とが当接するまで嵌合させる。この場合、後部材の後グリップ１４ｃに設けた長孔の挿通孔７４の先端側が前部材のリール取付部１４ｂのリールシート５２および螺子リング５８に覆われて一部が閉塞される。そして、挿通孔７４の他部（後端側）が開放状態で残り、釣竿用ハンドル１４の外側に露呈する。  
その後、リール取付部１４ｂのリールシート５２の後端に配設された螺子リング５８をリールシート５２に対して回転させて、螺子リング５８の雌ネジ部５８ｂと後グリップ１４ｃのグリップ本体７２の先端部に形成された雄ネジ部７２ｂとを螺合させる。この場合、螺合状態が進むにつれて、長孔の挿通孔７４の先端側がリールシート５２および螺子リング５８に覆われて閉塞量が増加する。そして、挿通孔７４の他部が開放状態で残り、ハンドル１４の外部に露呈する。挿通孔７４のうち、露呈した部分はコード６０の外径よりも大きく形成されている。
【００３７】
また、リールシート５２の嵌合凹部５２ｄとグリップ本体７２の嵌合凸部７２ａとが嵌合されているので、螺子リング５８の雌ネジ部５８ｂとグリップ本体７２の雄ネジ部７２ｂとが強く螺合された状態（リールシート５２の基端面とグリップ本体７２の段差端面７２ｃとが当接された状態）に無くても、リールシート５２とグリップ本体７２との間に生じるガタ付きが極力防止されている。このため、挿通孔７４の軸方向の長さを適宜に調整することができる。すなわち、螺子リング５８の雌ネジ部５８ｂとグリップ本体７２の雄ネジ部７２ｂとの螺合の程度（嵌合位置の調整）を変えたり、又は、その螺合を解除することによって前部材のリール取付部１４ｂの嵌合凹部５２ｄと後部材の後グリップ１４ｃの嵌合凸部７２ａの嵌合部の嵌合位置（両者の嵌合する長さ）を変えるようにリール取付部１４ｂと後グリップ１４ｃをその軸長方向に移動すると、釣竿用ハンドル１４の外側に露呈する挿通孔７４の軸方向の開口長さ（大きさ）を変化させることができる。このようにして、挿通孔７４に挿通するコード６０の外径によってリール取付部１４ｂと後グリップ１４ｃを嵌合したまま嵌合位置を変えて、挿通孔７４を適当な大きさにして挿通することができ、場合によって両者を離脱して挿通孔７４をさらに大きく露呈して挿通することができる。また、挿通孔７４の軸方向をコード６０の外径の大きさに近づけることによって、ゴミや水等が挿通孔７４を通して挿通部Ｓに入ることを防止することができる。また、挿通孔７４の大きさを調整することによって挿通部Ｓから挿通孔７４を通して外部に延出される際のコード６０の曲がり具合を調整することができる。
【００３８】
また、螺子リング５８の内方フランジ５８ａがリールシート５２の環状溝５２ｃに配設され、螺子リング５８がリールシート５２に対して回転可能であるので、後グリップ１４ｃの回転位置を所望の状態に周方向回転させることができる。このため、釣人は釣竿用ハンドル１４の周方向の最もコード６０が邪魔になり難い位置に自由に挿通孔７４の位置を設定することができる。
【００３９】
そして、図４および図５に示すように、後グリップ１４ｃの外側に配置したリール用コネクタ６２を電動リール３０の給電部３８に取り付ける。このとき、図４および図５には挿通孔７４を釣竿用ハンドル１４の下側に配置し、コード６０が適度な弛みをもってリール用コネクタ６２が電動リール３０の給電部３８に接続された状態を示しているが、挿通孔７４を釣竿用ハンドル１４の上側など適宜の位置に配置しても良い。すなわち、コード６０が延出される挿通孔７４の位置は周方向の何れの位置でも良く、この位置は釣り人が釣りを行う際に適宜に調整することができる。また、コード６０に大きな張力を加えないようにコード６０の長さによって挿通孔７４の周方向位置を調整することも好ましい。
【００４０】
また、図５に示すように、挿通孔７４は、その後端が一部露呈しているのみであるが、この挿通孔７４の開口量は、幅および軸長方向の長さともコード６０の直径よりも大きく形成されている。このため、グリップ本体７２の挿通部Ｓに対してコード６０を出し入れして、釣竿用ハンドル１４の外側に延出されるコード６０の長さを調整することができる。また、コード６０に大きな力を加えない範囲内で挿通孔７４の軸方向の大きさを変更して、挿通孔７４の後端と螺子リング５８の後端との間でコード６０を軽く保持（係止）することもできる。
【００４１】
ここでは、図２および図３に示すように、後部材である後グリップ１４ｃに既にバッテリ４０が配設され、バッテリ４０にコード６０が装着された状態にあるものとして説明したが、リール取付部１４ｂのリールシート５２と後グリップ１４ｃのグリップ本体７２とを適宜に装着した後にコード６０のバッテリ用コネクタ６４を挿通孔７４に差し入れて挿通部Ｓに導き、最終的に拡径部７６を通して図４中に破線で示す位置までバッテリ用コネクタ６４を導くことができる。そして、この状態のバッテリ用コネクタ６４にバッテリ４０の接続部４４を装着した後、バッテリ４０をバッテリケース７８に収容してグリップ本体７２の後端の拡径部７６の雄ネジ部７６ａとバッテリケース７８の雌ネジ部７８ａとを螺合させてコード６０およびバッテリ用コネクタ６４を実線で示すように釣竿用ハンドル１４内に配置することができる。
【００４２】
次に、釣竿用ハンドル１４からコード６０を取り外す場合について説明する。  
図４に示すように、バッテリケース７８はグリップ本体７２に対して着脱可能である。このため、リール用コネクタ６２を電動リール３０の給電部３８から取り外せば、開口量を調整可能な挿通孔７４を通してリール用コネクタ６２を拡径部７６側からコード６０を抜去することができる。すなわち、釣竿用ハンドル１４からコード６０を取り外すことができる。  
一方、バッテリ４０の接続部４４は、バッテリ用コネクタ６４に対して着脱可能である。このため、グリップ本体７２の挿通部Ｓ、開口量を調整可能な挿通孔７４を通してバッテリ用コネクタ６４を後グリップ１４ｃのグリップ本体７２から抜去することができる。すなわち、釣竿用ハンドル１４からコード６０を取り外すことができる。
【００４３】
そして、新たなコード６０を釣竿用ハンドル１４に装着する場合、バッテリ用コネクタ６４を挿通孔７４を通して挿通部Ｓに差し入れ、拡径部７６まで導入する。拡径部７６まで導入したバッテリ用コネクタ６４に対してバッテリ４０側の接続部４４を装着する。
【００４４】
また、新たなコード６０を釣竿用ハンドル１４に装着する場合、他の方法として、開口された拡径部７６側から挿通部Ｓを通して挿通孔７４にリール用コネクタ６２を差し入れる。そして、挿通孔７４を通して釣竿用ハンドル１４の外部に配設されたリール用コネクタ６２を別の電動リール３０の給電部３８に装着する。
【００４５】
このため、釣竿用ハンドル１４に対してコード６０の交換を行うことができ、すなわち、種々のコード６０を用いることができる。また、コード６０に合わせてバッテリ４０やリール３０も種々のものが用いられる。すなわち、バッテリケース７８をバッテリ４０に合ったものを用い、バッテリケース７８の雌ネジ部７８ａを拡径部７６の雄ネジ部７６ａに螺合させることによって、交換したバッテリ４０を釣竿用ハンドル１４で保持することができる。
【００４６】
以上説明したように、この実施の形態によれば、前部材としてのリールシート５２と後部材としてのグリップ本体７２とは、嵌合凹部５２ｄおよび嵌合凸部７２ａで嵌合された部分（嵌合部）によって、ガタ付きを防止した状態で嵌合することができるとともに、リールシート５２に対するグリップ本体７２の回動（周方向の移動）をガタ付きを防止した状態で行うことができる。このとき、嵌合凹部５２ｄに対して嵌合凸部７２ａを軸方向に移動させることによって、挿通孔７４の露呈状態（開口量）を適宜の状態に変更することができる。すなわち、コード６０を通す挿通孔７４の開放状態を変更することによって、グリップ本体７２の挿通部Ｓの内部にゴミや水等が入り込むのを効果的に防止することができる。  
また、螺子リング（係合部）５８およびグリップ本体７２の雄ネジ部７２ｂによってリールシート５２とグリップ本体７２との間の嵌合状態を簡単に維持することができる。
【００４７】
また、リール取付部１４ｂと後グリップ１４ｃとが着脱可能（分離可能）であるので、釣竿用ハンドル１４の持ち運びに便利である。また、竿部１２を釣竿用ハンドル１４から取り外し可能であれば、さらに釣竿１０を小さくして持ち運ぶことができる。
【００４８】
また、グリップ本体７２に設けられた挿通孔７４が嵌合凸部７２ａの先端まで長溝状に延長して形成され、後部材である後グリップ１４ｃの内部の挿通部Ｓと後グリップ１４ｃの先端の開口で連通していることによって、前部材側のリールシート５２と後部材側のグリップ本体７２とを離脱した状態でグリップ本体７２の挿通部Ｓに配設されたコード６０を後グリップ１４ｃの先端の挿通部Ｓの開口を介して挿通孔７４に差し込み、挿通孔７４を通して簡単にグリップ本体７２の外側に導くことができる。このため、特にリールシート５２とグリップ本体７２とが分離された状態のときは両者を分離せずに先端が閉塞された挿通孔７４を用いてコード６０を挿通孔７４に挿通する場合よりも挿通孔７４の釣竿用ハンドル１４の外側に露呈する大きさをより大きく変化させることができるため容易にコード６０を挿通孔７４内に挿通してグリップ本体７２の外側に配置することができる。
【００４９】
また、バッテリ４０を保持するバッテリ保持部をグリップ本体７２の後端に設けることによって、釣竿用ハンドル１４からバッテリ４０に接続するコードが延出されて魚釣りを行うことがなく、釣りを行う際にコードが邪魔になるのを防止することができる。したがって、釣りの際に後グリップ１４ｃを保持し易い。
【００５０】
なお、リール取付部１４ｂのリールシート５２の後端に配設された螺子リング５８は滑り止めの溝を有し、指掛部としても使用することができる。このため、挿通孔７４にコード６０が挿通されても、リール取付部１４ｂおよび後グリップ１４ｃの把持のし易さを極力維持することができる。
【００５１】
次に、第２の実施の形態について図７を用いて説明する。この実施の形態は第１の実施の形態の変形例であって、第１の実施の形態で説明した部材と同一の部材には同一の符号を付し、詳しい説明を省略する。
【００５２】
図７に示すように、この実施の形態では図２および図３に示す環状溝５２ｃ、嵌合凹部５２ｄおよび螺子リング５８を後グリップ１４ｃのグリップ本体７２の先端に設け、嵌合凸部７２ａ、雄ネジ部７２ｂ、段差端面７２ｃおよび挿通孔７４を前部材のリール取付部１４ｂのリールシート５２の後端に設けた例である。図７中では、説明の省略のため、第１の実施の形態の図２から図５に示す符号をそのまま用いている。
【００５３】
このような構造を有する場合であっても、第１の実施の形態で説明したのと同様に釣竿用ハンドル１４を使用することができる。  
なお、このような例は以下に説明する第３から第５の実施の形態においても同様に適用することができる。すなわち、リール取付部１４ｂのリールシート５２の後端に設けられた構造と後グリップ１４ｃのグリップ本体７２の先端に設けられた構造とは、逆の構造に入れ替えることも好ましい。
【００５４】
次に、第３の実施の形態について図８および図９を用いて説明する。この実施の形態は第１の形態の変形例であって、第１の実施の形態で説明した部材と同一の部材には同一の符号を付し、詳しい説明を省略する。
【００５５】
図８に示すように、後部材としての後グリップ１４ｃの構造は第１の実施の形態で説明した後グリップ１４ｃと同じである。
【００５６】
一方、リール取付部１４ｃのリールシート５２の嵌合凹部５２ｄには、嵌合凹部５２ｄの中心軸に向かって貫通孔５２ｅが形成されている。貫通孔５２ｅは、嵌合凹部５２ｄの周方向の何れの位置に形成されていても良いが、取付脚部載置面５２ａとは反対側に形成されていることが好ましい。この貫通孔５２ｅには、リールシート５２の外側から内側に向かってピン５９が固定されている。ピン５９の外径は挿通孔７４の幅よりも小さく形成されている。ピン５９の長さは後グリップ１４ｃのグリップ本体７２の嵌合凸部７２ａの肉厚に対して、ピン５９がリールシート５２の中心軸に近接する位置まで到達する長さである。
【００５７】
すなわち、挿通孔７４に配設されたピン５９は、挿通孔７４と協働することによってリールシート５２に対してグリップ本体７２が周方向に回動するのを防止する回り止め手段（回り止め機構）として機能する。例えば貫通孔５２ｅが取付脚部載置面５２ａとは反対側に形成され、その貫通孔５２ｅにピン５９が配設されている場合、コード６０を挿通する挿通孔７４を取付脚部載置面５２ａとは反対側に配設するように位置決めすることができる。  
他の作用や効果については第１の実施の形態で説明したので、ここでの説明は省略する。
【００５８】
次に、第４の実施の形態について図１０から図１２を用いて説明する。この実施の形態は第３の実施の形態の変形例であって、第３の実施の形態で説明した部材と同一の部材には同一の符号を付し、詳しい説明を省略する。
【００５９】
図１０に示すように、この実施の形態では、第１の実施の形態の図２から図５、第３の実施の形態の図８および図９に示す嵌合凸部７２ａよりも長い嵌合凸部１７２ａを有する。すなわち、後グリップ１４ｃのグリップ本体７２の先端には、嵌合凸部１７２ａを有する。
【００６０】
第１の実施の形態の図２から図５、第３の実施の形態の図８および図９に示す嵌合凸部７２ａは、リールシート５２に対してグリップ本体７２が嵌合され螺子リング５８で螺合されたときに、その先端が固定フード５４ａの後端まで到達しない程度の長さである。これに対して、この実施の形態に係る嵌合凸部１７２ａは、リールシート５２に対してグリップ本体７２が嵌合され螺子リング５８で螺合されたときに、その先端が固定フード５４ａを超えてリール３０の取付脚部３０ａに到達する程度の長さである。  
なお、第１の実施の形態の図２から図５、第３の実施の形態の図８および図９に示す嵌合凸部７２ａもこの実施の形態に係る嵌合凸部１７２ａと同程度の長さであることも好ましい。この場合、嵌合部を長くすることができるので、リールシート５２に対してグリップ本体７２を軸方向に移動させる際に、ガタ付きを極力防止して安定して移動させることができる。
【００６１】
また、この実施の形態では、第１の実施の形態の図２から図５、第３の実施の形態の図８および図９に示す挿通孔７４とは異なり、嵌合凸部１７２ａの先端よりも後端側に形成された挿通孔１７４を有する。すなわち、嵌合凸部１７２ａの先端は半筒状やＣ字状ではなく環状に形成され、挿通孔１７４の先端は閉塞されている。
【００６２】
挿通孔１７４は真っ直ぐな長孔として形成され、先端側から後端側に向かって順に、先端が閉塞された案内部１７４ａと、幅広部（コード６０の着脱部）１７４ｂと、コード６０の挿通状態を保持する保持部１７４ｃとを備えている。これら案内部１７４ａ、幅広部１７４ｂおよび保持部１７４ｃは連続的に形成されている。  
なお、挿通孔１７４の案内部１７４ａの幅はピン５９の外径よりも僅かに大きく形成されている。挿通孔１７４の保持部１７４ｃの幅はコード６０の外径よりも大きく形成されているが、リール用コネクタ６２やバッテリ用コネクタ６４の外径よりも小さく形成されている。一方、案内部１７４ａと保持部１７４ｃとの中間に形成された幅広部１７４ｂは略円形状の開口を有し、その内径はリール用コネクタ６２やバッテリ用コネクタ６４の外径よりも大きく形成されている。
【００６３】
この挿通孔１７４には、第３の実施の形態で説明したようにピン５９が配設されている。ここで、挿通孔１７４の先端は閉塞されているので、リール取付部１４ｂのリールシート５２と後グリップ１４ｃのグリップ本体７２とはピン５９を抜かない限りは互いに対して嵌合された状態にあり分離されることはない。すなわち、ピン５９は第３の実施の形態で説明したように案内部１７４ａと協働してリールシート５２に対してグリップ本体７２が回動するのを防止する回り止め手段として機能するだけでなく、案内部１７４ａと協働してリールシート５２に対してグリップ本体７２が抜けるのを防止する抜け止め手段（抜け止め機構）として機能する。このため、バッテリ４０のコード６０を出し入れ（抜き差し）するのは以下のようにして行なう。
【００６４】
図１０および図１１に示すように、嵌合凸部１７２ａが嵌合凹部５２ｄに嵌合され、かつ、螺子リング５８の雌ネジ部５８ｂに対して雄ネジ部７２ｂを螺合させた状態では、挿通孔１７４の幅広部１７４ｂはリールシート５２に覆われている。このため、コード６０のリール用コネクタ６２やバッテリ用コネクタ６４を挿通孔１７４に対して出し入れすることは出来ない。このとき、ピン５９は挿通孔１７４の案内部１７４ａのうち幅広部１７４ｂの前側の入口を閉塞するような位置（案内部１７４ａの後端）にある。一方、挿通孔１７４の保持部１７４ｃは螺子リング５８により前側が閉塞され、後側が釣竿用ハンドル１４の外側に露呈された状態にある。
【００６５】
そして、螺子リング５８の雌ネジ部５８ｂに対するグリップ本体７２の雄ネジ部７２ｂの螺合状態を解除すると、リールシート５２に対してグリップ本体７２を後端側に移動させることができる。このように、リールシート５２に対してグリップ本体７２を移動させると、ピン５９に沿って挿通孔１７４の案内部１７４ａが案内される。このため、図１２に示すように、ピン５９は挿通孔１７４の案内部１７４ａの先端に当接される。すなわち、図１１および図１２に示すように、ピン５９は常に挿通孔１７４の案内部１７４ａに配設されている。そして、案内部１７４ａの幅はピン５９の外径よりも僅かに大きく形成されているだけなので、ピン５９に対して挿通孔１７４の案内部１７４ａは回り止めされる。すなわち、リールシート５２に対してグリップ本体７２が軸方向に所定の距離（案内部１７４ａの長さ分）だけ移動することは許容するが、周方向に移動することが防止されている。
【００６６】
このとき、図１２に示すように、挿通孔１７４の幅広部１７４ｂは螺子リング５８の後端よりもさらに後端側にある。すなわち、幅広部１７４ｂは釣竿用ハンドル１４の外部に露出（露呈）された状態にある。このため、幅広部１７４ｂを通してコード６０のリール側コネクタ６２及びバッテリ側コネクタ６４をグリップ本体７２の挿通部Ｓに対して抜き差しすることができる。
【００６７】
そして、例えば図１２に示すようにコード６０をグリップ本体７２の挿通孔１７４を通して挿通部Ｓに配設しているとき、図１２に示す状態から再び図１０及び図１１に示す状態にグリップ本体７２を移動させる。このとき、幅広部１７４ｂの全部および保持部１７４ｃの前側を閉塞するので、ゴミや水等がグリップ本体７２に入ることが防止されている。
【００６８】
また、この実施の形態では、リールシート５２とグリップ本体７２との間に抜け止め手段が設けられているので、釣りの最中などにグリップ本体７２が思いがけず脱落することを防止することができる。
【００６９】
次に、第５の実施の形態について図１３および図１４を用いて説明する。この実施の形態は第１から第４の実施の形態の変形例であって、第１から第４の実施の形態で説明した部材と同一の部材には同一の符号を付し、詳しい説明を省略する。
【００７０】
図１３に示すように、この実施の形態では螺子リング５８（図１から図５、図７から図１２参照）を用いない例について説明する。前部材のリール取付部１４ｂのリールシート５２の後端と後部材の後グリップ１４ｃのグリップ本体７２の先端とは嵌合されている。この実施の形態ではリールシート５２の後端が嵌合凹部であって、この嵌合凹部にグリップ本体７２の先端の嵌合凸部が差し込まれて着脱可能に嵌合されている。すなわち、リール取付部１４ｂのリールシート５２の後端と後グリップ１４ｃのグリップ本体７２の先端とは嵌合されて嵌合部２５８が形成されている。
【００７１】
嵌合部２５８のうち、例えばリールシート５２の後端の内周面は、いわゆる先細の傾斜面として形成されている。このため、グリップ本体７２の先端をリールシート５２の後端から先端側に向かって差し込むと強く嵌合し、リールシート５２とグリップ本体７２との間の軸方向の相対的な移動が起こり難くなり、グリップ本体７２の先端をリールシート５２から引き抜いて嵌合を解除することもできる。
【００７２】
図１４（Ａ）および図１４（Ｂ）に示すように、嵌合部２５８のうちリールシート５２には挿通孔２５７が形成されている。挿通孔２５７は第１の大孔２５７ａと第１の小孔２５７ｂとを有する。これら第１の大孔２５７ａおよび第１の小孔２５７ｂは周方向に連続して略瓢箪型に形成されている。そして、第１の小孔２５７ｂは取付脚部載置面５２ａに対して反対側に形成されていることが好適である。  
嵌合部２５８のうちグリップ本体７２には挿通孔２７４が形成されている。グリップ本体７２の挿通孔２７４は、第２の大孔２７４ａと第２の小孔２７４ｂとを有する。これら第２の大孔２７４ａおよび第２の小孔２７４ｂは周方向に連続して略瓢箪型に形成されている。なお、第１の大孔２５７ａに対して第１の小孔２５７ｂが形成された方向と、第２の大孔２７４ａに対して第２の小孔２７４ｂが形成された方向とは周方向に逆の方向である。したがって、前部材と後部材の両方に挿通孔が形成されている。
【００７３】
図１４（Ａ）に示す第１および第２の小孔２５７ｂ，２７４ｂはコード６０の外径よりも大きく形成されているが、各リール用コネクタ６２や各バッテリ用コネクタ６４の外径よりも小さく形成されている。このため、第１および第２の小孔２５７ｂ，２７４ｂを重ね合わせたとき、第１および第２の小孔２５７ｂ，２７４ｂによる挿通孔２５７，２７４が小さくなって露呈しコード６０をその軸方向に移動させることができるが、リール用コネクタ６２やバッテリ用コネクタ６４を出し入れすることはできない。
【００７４】
図１４（Ｂ）に示す第１および第２の大孔２５７ａ，２７４ａはコード６０の外径よりも大きく、かつ、リール用コネクタ６２やバッテリ用コネクタ６４の外径よりも大きく形成されている。このため、第１および第２の大孔２５７ａ，２７４ａを重ね合わせたとき、コード６０のリール用コネクタ６２やバッテリ用コネクタ６４を出し入れすることができる。
【００７５】
すなわち、図１４（Ａ）に示す状態から図１４（Ｂ）に示す状態に、嵌合部にてグリップ本体７２に対してリールシート５２を図１４（Ｂ）中の矢印１４Ｂ方向（周方向）に移動させると、グリップ本体７２の第２の大孔２７４ａの縁部でコード６０をリールシート５２の第１の大孔２５７ａに配置する。このように第１および第２の大孔２５７ａ，２７４ａが重ね合わせられたとき、挿通孔は第１および第２の大孔２５７ａ，２７４ａによって大きくなって露呈し、コード６０、リール用コネクタ６２やバッテリ用コネクタ６４を挿通部Ｓに対して出し入れすることができる。なお、図１４（Ｂ）は、コード６０を着脱するため挿通孔（第１および第２の大孔２５７ａ，２７４ａ）にリール側コネクタ６２を通した状態を示す。
【００７６】
このとき、各挿通孔２５７，２７４は略瓢箪型であり、第１の大孔２５７ａ、第１の小孔２５７ｂが周方向に形成され、第２の大孔２７４ａ、第２の小孔２７４ｂが周方向に形成されているので、第１および第２の大孔２５７ａ，２７４ａは軸方向に長軸を有する略楕円状の長孔に形成されている。このため、適当なコシを有するコード６０に対して大きな力が加えられることが防止された状態でコード６０、リール用コネクタ６２やバッテリ用コネクタ６４を挿通部Ｓに対して出し入れすることができる。
【００７７】
なお、上述した第１から第５の実施の形態では、リールシート５２を前部材、グリップ本体７２を後部材として説明したが、前部材および後部材の両者がグリップ本体７２で分離されるように構成することも好ましい。すなわち、前部材および後部材の両者が後グリップ１４ｃのグリップ本体７２に形成されていることも好ましい。また、前部材および後部材の両者がリール取付部１４のリールシート５２に形成されていることも好ましい。
【００７８】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００７９】
【図１】第１から第４の実施の形態に係る釣竿を示す概略図。
【図２】第１の実施の形態に係る釣竿のハンドルのリール取付部（前部材）と後グリップ（後部材）とを分離した状態を示す概略的な縦断面図。
【図３】第１の実施の形態に係る釣竿のハンドルのリール取付部と後グリップとを分離した状態を示す概略的な底面図。
【図４】第１の実施の形態に係る釣竿のハンドルのリール取付部と後グリップとを装着した状態を示す概略的な縦断面図。
【図５】第１の実施の形態に係る釣竿のハンドルのリール取付部と後グリップとを装着した状態を示す概略的な底面図。
【図６】第１から第５の実施の形態に係る釣竿のバッテリ保持部の変形例。
【図７】第２の実施の形態に係る釣竿のハンドルのリール取付部と後グリップとを装着した状態を示す概略的な縦断面図。
【図８】第３の実施の形態に係る釣竿のハンドルのリール取付部と後グリップとを分離した状態を示す概略的な縦断面図。
【図９】第３の実施の形態に係る釣竿のハンドルのリール取付部と後グリップとを装着した状態を示す概略的な縦断面図。
【図１０】第４の実施の形態に係る釣竿のハンドルのリール取付部と後グリップとを嵌合し、かつ、リール取付部に対して後グリップを固定した状態を示す概略的な縦断面図。
【図１１】第４の実施の形態に係る釣竿のハンドルのリール取付部と後グリップとを嵌合し、かつ、リール取付部に対して後グリップを固定した状態を示す概略的な底面図。
【図１２】第４の実施の形態に係る釣竿のハンドルのリール取付部と後グリップとを嵌合し、かつ、リール取付部に対して後グリップを移動可能とした状態を示す概略的な底面図。
【図１３】第５の実施の形態に係る釣竿のハンドルのリール取付部と後グリップとを嵌合した状態を示す概略的な底面図。
【図１４】（Ａ）は図１３に示す１４Ａ−１４Ａ線に沿う概略的な横断面図、（Ｂ）は図１４（Ａ）に示すリールシートをグリップ本体に対して相対的に符号１４Ｂに示す方向に移動させた状態を示す概略的な横断面図。
【符号の説明】
【００８０】
１２…竿桿、１３ａ…嵌合突起、１３ｂ…嵌合孔、１４…ハンドル、１４ａ…前グリップ、１４ｂ…リール取付部、１４ｃ…後グリップ、１４ｄ…芯部材、３０…電動リール、３０ａ…取付脚部、３２…リール本体、３２ａ…制御部、３４…側板、３６…調節ネジ、３８…給電部、４０…バッテリ、４２…ボディ、４４…接続部、４６…肩部、５２…リールシート、５２ａ…取付脚部載置面、５２ｂ…ネジ部、５２ｃ…環状溝、５２ｄ…嵌合凹部、５４ａ…固定フード、５４ｂ…移動フード、５６…ナット、５８…螺子リング、５８ａ…内方フランジ、５８ｂ…雌ネジ部、６０…コード、６２…リール用コネクタ、６４…バッテリ用コネクタ、７２…グリップ本体、７２ａ…嵌合凸部、７２ｂ…雄ネジ部、７２ｃ…段差端面、７４…挿通孔、７６…拡径部、７６ａ…雄ネジ部、７８…バッテリケース、７８ａ…雌ネジ部、７８ｂ…押圧パッド。
【図１】
2010051284.tif 000003
【図２】
2010051284.tif 000004
【図３】
2010051284.tif 000005
【図４】
2010051284.tif 000006
【図５】
2010051284.tif 000007
【図６】
2010051284.tif 000008
【図７】
2010051284.tif 000009
【図８】
2010051284.tif 000010
【図９】
2010051284.tif 000011
【図１０】
2010051284.tif 000012
【図１１】
2010051284.tif 000013
【図１２】
2010051284.tif 000014
【図１３】
2010051284.tif 000015
【図１４】
2010051284.tif 000016